(57)【特許請求の範囲】
【請求項１】
基材の表面に前記基材の一方向の一端部から他端部にかけて通し目地が設けられ、前記通し目地と直交する直交通し目地が設けられた外壁材であって、
前記外壁材は、前記一方向に複数隣接して設置されるものであり、
前記通し目地の前記一端部が狭い目地幅を有し、
前記通し目地の前記他端部が広い目地幅を有し、
前記一方向から見た場合に、前記通し目地の前記一端部の狭い目地幅が、前記通し目地の前記他端部の広い目地幅の範囲内に収まっており、
前記通し目地の前記一端部の狭い目地幅と前記通し目地の前記他端部の広い目地幅との差が０．５〜３ｍｍであり、
前記通し目地の前記一端部及び前記他端部以外の部分である中途部において、前記直交通し目地を介して、広い目地幅を有する通し目地と狭い目地幅を有する通し目地とが隣り合い、
前記一方向から見た場合に、前記通し目地の前記中途部の狭い目地幅が、前記通し目地の前記中途部の広い目地幅の範囲内に収まっており、
前記通し目地の前記中途部の狭い目地幅と前記通し目地の前記中途部の広い目地幅との差が０．５〜３ｍｍであることを特徴とする
外壁材。
【請求項２】
前記基材が長方形であり、
前記基材の短辺と平行になるように前記通し目地が複数設けられていることを特徴とする
請求項１に記載の外壁材。
【請求項３】
前記通し目地の前記一端部の目地幅が最も狭い最小幅であり、
前記通し目地の前記他端部の目地幅が最も広い最大幅であり、
前記通し目地の前記一端部と前記他端部との間の目地幅が前記最小幅と前記最大幅との間で変化していることを特徴とする
請求項１又は２に記載の外壁材。
【請求項４】
請求項１乃至３のいずれか一項に記載の外壁材が複数隣接して設置された外壁材の設置構造であって、
隣接する前記外壁材同士の接合箇所において、一方の外壁材の目地幅が、他方の外壁材の目地幅の範囲内に収まっていることを特徴とする
外壁材の設置構造。
【発明の詳細な説明】
【技術分野】
【０００１】
本発明は、住宅など種々の建造物の外壁を形成するのに用いられる外壁材及びその設置構造に関するものである。
【背景技術】
【０００２】
従来、外壁材として、特許文献１に記載の外壁板や特許文献２に記載の外装板等が知られている。
【０００３】
特許文献１に記載の外壁板は、縦目地及び横目地を形成した外壁板本体の縦目地及び横目地の目地底に凹凸模様を形成したものである。
【０００４】
また、特許文献２に記載の外装板は、外装板本体の表面に、水平方向に伸びる略同一形状の複数の突条が略等間隔で並設形成されたものである。そして、建造物外表面の上下方向に規則的に張設したとき、上下に隣接する外装板本体のそれぞれの突条が略同一ピッチで張設されるようにしたものである。
【先行技術文献】
【特許文献】
【０００５】
【特許文献１】特開２００３−２７６９４号公報
【特許文献２】特開２００４−６８３０２号公報
【発明の概要】
【発明が解決しようとする課題】
【０００６】
特許文献１に記載の外壁板では、横目地の目地底の凹凸模様が縦目地の目地底の凹凸模様より高く形成されているので、外壁板間の目地材との目地構造を違和感なく簡単に形成することができる。
【０００７】
しかし、特許文献１に記載の外壁板では、通し目地である縦目地の位置が左右にずれるとこの位置ずれが目立ってしまう。
【０００８】
また、特許文献２に記載の外装板では、外装板本体の最上部に形成された最上部突条の高さを外装板本体の最下部に形成された最下部突条の高さよりも高くしている。そのため、建造物表面に張設された外装板を外から見たとき最下部突条が目立ちにくく、接続部の寸法に多少のバラツキがあっても、外装板本体の表面の突条の模様の連続性に違和感を感じにくいというものである。
【０００９】
しかし、特許文献２に記載の外装板では、突条と突条との間に通し目地として凹条が形成されているが、この凹条の位置が上下にずれるとこの位置ずれが目立ってしまう。
【００１０】
本発明は上記の点に鑑みてなされたものであり、複数の外壁材を一方向に隣接して設置する場合、隣り合う外壁材の接合箇所における通し目地の位置が多少ずれてもこの位置ずれを目立ちにくくすることができる外壁材及びその設置構造を提供することを目的とするものである。
【課題を解決するための手段】
【００１１】
本発明に係る外壁材は、基材の表面に前記基材の一方向の一端部から他端部にかけて通し目地が設けられ、前記通し目地と直交する直交通し目地が設けられた外壁材であって、前記外壁材は、前記一方向に複数隣接して設置されるものであり、前記通し目地の前記一端部が狭い目地幅を有し、前記通し目地の前記他端部が広い目地幅を有し、前記一方向から見た場合に、前記通し目地の前記一端部の狭い目地幅が、前記通し目地の前記他端部の広い目地幅の範囲内に収まっており、前記通し目地の前記一端部の狭い目地幅と前記通し目地の前記他端部の広い目地幅との差が０．５〜３ｍｍであり、前記通し目地の前記一端部及び前記他端部以外の部分である中途部において、前記直交通し目地を介して、広い目地幅を有する通し目地と狭い目地幅を有する通し目地とが隣り合い、前記一方向から見た場合に、前記通し目地の前記中途部の狭い目地幅が、前記通し目地の前記中途部の広い目地幅の範囲内に収まっており、前記通し目地の前記中途部の狭い目地幅と前記通し目地の前記中途部の広い目地幅との差が０．５〜３ｍｍであることを特徴とするものである。
【００１２】
前記外壁材において、前記基材が長方形であり、前記基材の短辺と平行になるように前記通し目地が複数設けられていることが好ましい。
【００１４】
前記外壁材において、前記通し目地の前記一端部の目地幅が最も狭い最小幅であり、前記通し目地の前記他端部の目地幅が最も広い最大幅であり、前記通し目地の前記一端部と前記他端部との間の目地幅が前記最小幅と前記最大幅との間で変化していることが好ましい。
本発明に係る外壁材の設置構造は、前記外壁材が複数隣接して設置された外壁材の設置構造であって、隣接する前記外壁材同士の接合箇所において、一方の外壁材の目地幅が、他方の外壁材の目地幅の範囲内に収まっていることを特徴とするものである。
【発明の効果】
【００１５】
本発明によれば、複数の外壁材を一方向に隣接して設置する場合、隣り合う一方の外壁材の接合箇所における通し目地の目地幅と、隣り合う他方の外壁材の接合箇所における通し目地の目地幅とがもともと異なっていることによって、この両者の通し目地の位置が多少ずれてもこの位置ずれを目立ちにくくすることができるものである。
【図面の簡単な説明】
【００１６】
【図１】本発明に係る外壁材の一例を示す概略正面図である。
【図２】通し目地の一端部及び他端部を拡大して示すものであり、（ａ）〜（ｃ）は概略正面図である。
【図３】通し目地の一端部及び他端部以外の部分（中途部）を拡大して示すものであり、（ａ）〜（ｃ）は概略正面図である。
【図４】本発明に係る外壁材を設置して形成された外壁材の設置構造の一例を示す概略正面図である。
【図５】本発明に係る外壁材同士の接合箇所を拡大して示すものであり、（ａ）〜（ｃ）は概略正面図である。
【図６】従来の外壁材同士の接合箇所を拡大して示すものであり、（ａ）〜（ｃ）は概略正面図である。
【発明を実施するための形態】
【００１７】
以下、本発明の実施の形態を説明する。
【００１８】
本発明に係る外壁材は、例えば、セメント系板等の窯業系板を基材１として用いて製造することができる。基材１は、通常、一方向を短辺とし、一方向に直交する方向を長辺とする長方形であるが、正方形でもよい。基材１の大きさは、例えば、３００〜１０００ｍｍ×６００〜３６３６ｍｍである。
【００１９】
図１は本発明に係る外壁材の一例を示すものである。この外壁材は、基材１の表面に基材１の一方向の一端部から他端部にかけて通し目地２を設けて形成されている。すなわち、図１では、基材１の表面に基材１の上下方向（縦方向、両矢印Ｙ）の一端部から他端部にかけて、通し目地２として縦目地が設けられている。通し目地２の数は特に限定されるものではないが、図１のように基材１の短辺と平行になるように通し目地２を略等間隔で複数設けることが好ましい。なお、図示省略しているが、基材１の少なくとも一方向の両端部には合抉（あいじゃくり）加工が施されている。
【００２０】
また、基材１の表面には通し目地２のみを設けてもよいが、基材１の一方向と直交する方向の一端部から他端部にかけて通し目地２と直交する直交通し目地３を設けることが好ましい。すなわち、図１では、基材１の左右方向（横方向、両矢印Ｘ）の一端部から他端部にかけて、直交通し目地３として横目地が設けられている。直交通し目地３は設けなくてもよい。直交通し目地３の数も特に限定されるものではないが、図１では基材１の長辺と平行になるように直交通し目地３が略等間隔で複数設けられている。このように、複数の通し目地２と複数の直交通し目地３とが格子状に交差して複数の矩形部４が基材１の表面に形成されることによって、タイル状又はレンガ状の模様が形成された外壁材を得ることができる。これにより、外壁材の意匠性を向上させることができるものである。
矩形部４には模様を形成することができ、この模様は特に限定されるものではないが、通し目地２に略平行な細線模様を形成することが好ましい。矩形部４の大きさは、例えば、３５〜２２０ｍｍ×３５〜２２０ｍｍである。
【００２１】
以下では、説明の都合上、一方向を上下方向（縦方向、両矢印Ｙ）とし、一方向と直交する方向を左右方向（横方向、両矢印Ｘ）とし、通し目地２を縦目地とし、直交通し目地３を横目地とするが、これに限定されるものではなく、上下左右（縦横）を逆にしてもかまわない。
【００２２】
そして、本発明では図２に示すように、通し目地２の一端部の目地幅Ｗ１と通し目地２の他端部の目地幅Ｗｎとが異なっている。図２では、通し目地２の上端部の目地幅Ｗ１を狭く、下端部の目地幅Ｗｎを広くしている。以下ではこの場合について説明するが、通し目地２の上端部の目地幅Ｗ１を広く、下端部の目地幅Ｗｎを狭くしてもよい。
【００２３】
さらに、狭い目地幅Ｗ１を有する一端部の通し目地２の左側面Ｌ１は、広い目地幅Ｗｎを有する他端部の通し目地２の左側面Ｌｎと一致するか又はこれよりも右側に位置し、狭い目地幅Ｗ１を有する一端部の通し目地２の右側面Ｒ１は、広い目地幅Ｗｎを有する他端部の通し目地２の右側面Ｒｎと一致するか又はこれよりも左側に位置する。具体的には、図２（ａ）では、狭い目地幅Ｗ１を有する上端部の通し目地２の左側面Ｌ１は、広い目地幅Ｗｎを有する下端部の通し目地２の左側面Ｌｎと一致し、狭い目地幅Ｗ１を有する上端部の通し目地２の右側面Ｒ１は、広い目地幅Ｗｎを有する下端部の通し目地２の右側面Ｒｎよりも左側に位置している。また図２（ｂ）では、狭い目地幅Ｗ１を有する上端部の通し目地２の左側面Ｌ１は、広い目地幅Ｗｎを有する下端部の通し目地２の左側面Ｌｎよりも右側に位置し、狭い目地幅Ｗ１を有する上端部の通し目地２の右側面Ｒ１は、広い目地幅Ｗｎを有する下端部の通し目地２の右側面Ｒｎよりも左側に位置している。また図２（ｃ）では、狭い目地幅Ｗ１を有する上端部の通し目地２の左側面Ｌ１は、広い目地幅Ｗｎを有する下端部の通し目地２の左側面Ｌｎよりも右側に位置し、狭い目地幅Ｗ１を有する上端部の通し目地２の右側面Ｒ１は、広い目地幅Ｗｎを有する下端部の通し目地２の右側面Ｒｎと一致している。なお、通し目地２の左側面Ｌ及び右側面Ｒとは、通し目地２と矩形部４との境界面を意味する。
【００２４】
また、一端部及び他端部以外の部分（中途部）の通し目地２の目地幅Ｗｋは、特に限定されるものではなく、例えば、一端部から他端部にかけて、周期的、断続的、連続的、非連続的、規則的又は不規則的に広狭を変化させることができる。ただし、図３のように直交通し目地３を介して、広い目地幅Ｗｋを有する通し目地２と狭い目地幅Ｗｋ＋１を有する通し目地２とが隣り合う場合には、狭い目地幅Ｗｋ＋１を有する通し目地２の左側面Ｌｋ＋１は、広い目地幅Ｗｋを有する通し目地２の左側面Ｌｋと一致するか又はこれよりも右側に位置し、狭い目地幅Ｗｋ＋１を有する通し目地２の右側面Ｒｋ＋１は、広い目地幅Ｗｋを有する通し目地２の右側面Ｒｋと一致するか又はこれよりも左側に位置する。具体的には、図３（ａ）では、狭い目地幅Ｗｋ＋１を有する下側の通し目地２の左側面Ｌｋ＋１は、広い目地幅Ｗｋを有する上側の通し目地２の左側面Ｌｋと一致し、狭い目地幅Ｗｋ＋１を有する下側の通し目地２の右側面Ｒｋ＋１は、広い目地幅Ｗｋを有する上側の通し目地２の右側面Ｒｋよりも左側に位置している。また図３（ｂ）では、狭い目地幅Ｗｋ＋１を有する下側の通し目地２の左側面Ｌｋ＋１は、広い目地幅Ｗｋを有する上側の通し目地２の左側面Ｌｋよりも右側に位置し、狭い目地幅Ｗｋ＋１を有する下側の通し目地２の右側面Ｒｋ＋１は、広い目地幅Ｗｋを有する上側の通し目地２の右側面Ｒｋよりも左側に位置している。また図３（ｃ）では、狭い目地幅Ｗｋ＋１を有する下側の通し目地２の左側面Ｌｋ＋１は、広い目地幅Ｗｋを有する上側の通し目地２の左側面Ｌｋよりも右側に位置し、狭い目地幅Ｗｋ＋１を有する下側の通し目地２の右側面Ｒｋ＋１は、広い目地幅Ｗｋを有する上側の通し目地２の右側面Ｒｋと一致している。
【００２５】
特に、通し目地２の一端部の目地幅Ｗ１が最も狭い最小幅であり、通し目地２の他端部の目地幅Ｗｎが最も広い最大幅であることが好ましい。このとき最大幅と最小幅との差は例えば０．５〜３ｍｍである。すなわち、通し目地２の上端部の目地幅Ｗ１が最小幅、下端部の目地幅Ｗｎが最大幅、又は下端部の目地幅Ｗｎが最小幅、上端部の目地幅Ｗ１が最大幅であることが好ましい。この場合、通し目地２の一端部と他端部との間の目地幅Ｗｋ（中途部の目地幅Ｗｋ）は最小幅と最大幅との間で変化している。具体例を挙げると、図１では通し目地２の上端部の目地幅Ｗ１が最小幅（６．０ｍｍ）、下端部の目地幅Ｗｎが最大幅（７．０ｍｍ）であり、中途部の目地幅Ｗｋが６．５ｍｍ、７．０ｍｍ、６．０ｍｍ、６．５ｍｍというように最小幅と最大幅との間で変化している。さらに、通し目地２の目地幅Ｗｋ（ｋ＝１〜ｎ）は、上端部から下端部にかけて、６．０ｍｍ、６．５ｍｍ、７．０ｍｍ、６．０ｍｍ、６．５ｍｍ、７．０ｍｍというように周期的又は規則的に変化している。
【００２６】
また、図１のように通し目地２を複数設ける場合、全ての通し目地２について一端部の目地幅Ｗ１と他端部の目地幅Ｗｎとが異なっていなくてもよい。すなわち、一部の通し目地２については一端部の目地幅Ｗ１と他端部の目地幅Ｗｎとは同じでもよい。この場合、一端部の目地幅Ｗ１と他端部の目地幅Ｗｎとが異なる通し目地２の数の割合は、全ての通し目地２の数に対して５０〜１００％であることが好ましい。
【００２７】
次に、本発明に係る外壁材を設置して形成された外壁材の設置構造について説明する。図４は外壁材の設置構造の一例を示すものである。この外壁材の設置構造は、複数の外壁材を上下方向及び左右方向に隣接して設置することによって形成されている。
【００２８】
特に、複数の外壁材を上下方向に隣接して設置するにあたって、従来の外壁材を用いる場合と本発明に係る外壁材を用いる場合とでは、隣り合う外壁材の接合箇所における通し目地２の位置ずれの目立ちやすさが異なる。
【００２９】
従来の外壁材では、基材１に設けられる通し目地２の目地幅Ｗはどの部分も同じである。よって、このような外壁材を上下方向に隣接して設置する場合、図６（ｂ）のように、上下の通し目地２の左側面Ｌｎ，Ｌ１及び右側面Ｒｎ，Ｒ１をそれぞれ厳密に一致させなければならない。しかし、実際にこれを行うのは困難であり、通常は図６（ａ）や図６（ｃ）のようになる。すなわち、図６（ａ）では、上側の通し目地２の左側面Ｌｎが下側の通し目地２の左側面Ｌ１よりも右側に位置し、上側の通し目地２の右側面Ｒｎが下側の通し目地２の右側面Ｒ１よりも右側に位置している。そのため、接合箇所が右上左下方向に大きく位置ずれしているような印象を見る人に与える。また図６（ｃ）では、上側の通し目地２の左側面Ｌｎが下側の通し目地２の左側面Ｌ１よりも左側に位置し、上側の通し目地２の右側面Ｒｎが下側の通し目地２の右側面Ｒ１よりも左側に位置している。そのため、接合箇所が左上右下方向に大きく位置ずれしているような印象を見る人に与える。なお、図６に示す従来の外壁材では、本発明に係る外壁材と対比して説明する都合上、直交通し目地３及び矩形部４を図示している。
【００３０】
これに対して、本発明に係る外壁材では、基材１に設けられる通し目地２の両端部の目地幅Ｗ１，Ｗｎがもともと異なっている。そのため、このような外壁材を上下方向に隣接して設置する場合には、上下の通し目地２の左側面Ｌｎ，Ｌ１及び右側面Ｒｎ，Ｒ１をそれぞれ一致させることはできないが、左側面Ｌｎ，Ｌ１又は右側面Ｒｎ，Ｒ１のいずれか一方を一致させるか、狭い目地幅Ｗ１を有する通し目地２の両側面Ｌ１，Ｒ１が、広い目地幅Ｗｎを有する通し目地２の両側面Ｌｎ，Ｒｎの間に位置するようにすればよい。すなわち、図５（ａ）では、上側の通し目地２の左側面Ｌｎは下側の通し目地２の左側面Ｌ１と一致し、上側の通し目地２の右側面Ｒｎが下側の通し目地２の右側面Ｒ１よりも右側に位置している。このように、右側面Ｒｎ，Ｒ１については位置がずれているが、左側面Ｌｎ，Ｌ１については一致しているので、従来の図６（ａ）に示すものと比べて、接合箇所が右上左下方向に位置ずれしているような印象を見る人に与えにくい。また図５（ｂ）では、上下の通し目地２の左側面Ｌｎ，Ｌ１及び右側面Ｒｎ，Ｒ１は一致していないが、上側の通し目地２の左側面Ｌｎは下側の通し目地２の左側面Ｌ１より左側に位置し、上側の通し目地２の右側面Ｒｎは下側の通し目地２の右側面Ｒ１より右側に位置している。つまり、狭い目地幅Ｗ１を有する通し目地２の両側面Ｌ１，Ｒ１が中央に寄っているので、左右方向の位置ずれに比べて上下方向の連続性が強調される。また図５（ｃ）では、上側の通し目地２の右側面Ｒｎは下側の通し目地２の右側面Ｒ１と一致し、上側の通し目地２の左側面Ｌｎが下側の通し目地２の左側面Ｌ１よりも左側に位置している。このように、左側面Ｌｎ，Ｌ１については位置がずれているが、右側面Ｒｎ，Ｒ１については一致しているので、従来の図６（ｃ）に示すものと比べて、接合箇所が左上右下方向に位置ずれしているような印象を見る人に与えにくい。
【００３１】
このように、本発明に係る外壁材を複数一方向に隣接して設置する場合、隣り合う一方の外壁材の接合箇所における通し目地２の目地幅Ｗ１と、隣り合う他方の外壁材の接合箇所における通し目地２の目地幅Ｗｎとが異なっている。これは、本発明に係る外壁材の通し目地２の両端部の目地幅Ｗ１，Ｗｎがもともと異なっていることに起因するが、このことによって隣り合う両者の外壁材の通し目地２の位置が多少ずれてもこの位置ずれを目立ちにくくすることができるものである。
【００３２】
また図１及び図４に示す外壁材では、通し目地２が複数設けられているので、特定の接合箇所のみが注目されることがなくなり、接合箇所における通し目地２の位置ずれをさらに目立ちにくくすることができるものである。さらに、通し目地２の一端部の目地幅Ｗ１が最小幅、他端部の目地幅Ｗｎが最大幅、中途部の目地幅Ｗｋが最小幅と最大幅との間で変化しているので、接合箇所における通し目地２の位置ずれ自体も一種の模様に見えてさらに目立ちにくくすることができるものである。
【００３３】
なお、図４のように複数の外壁材を左右方向に隣接して設置するにあたっては、隣り合う外壁材の接合箇所にシーリング材５が用いられ、この上下方向のシーリング材５自体が比較的目立つので、接合箇所における左右の直交通し目地３の位置ずれは目立ちにくい。
【符号の説明】
【００３４】
１  基材
２  通し目地
３  直交通し目地
【図１】
0005882630.tif 000002
【図２】
0005882630.tif 000003
【図３】
0005882630.tif 000004
【図４】
0005882630.tif 000005
【図５】
0005882630.tif 000006
【図６】
0005882630.tif 000007